(57)【要約】【課題】電子機器の落下の際に音声出力部品が破損することを防止できる音声出力部品の保持構造および電子機器を提供する。【解決手段】電子機器１０は、下筐体１１と、下筐体１１に設けられた音声出力孔３３ｃから音声を発するように上カバー３３の裏面３３ａに当接する音声出力部品１３と、ヨーク背面２２ａに配置された回路基板２５と、回路基板２５における音声出力部品１３とは反対側に配置されたシャーシ２８と、回路基板２５に設けられた開口部２６と、開口部２６内に配置され、ヨーク背面２２ａおよびシャーシ２８に対して弾性的に接触する弾性部材３０とを備えている。【選択図】図３
2011166202.tif 000002
【特許請求の範囲】
【請求項１】
筐体と、
前記筐体に設けられた音声出力孔から音声を発するように前記筐体の裏面に当接する音声出力部品と、
前記音声出力部品の背面に配置された回路基板と、
前記回路基板における前記音声出力部品とは反対側に配置されたシャーシと、
前記回路基板に設けられた開口部と、
前記開口部内に配置され、前記音声出力部品の背面および前記シャーシに対して弾性的に接触する弾性部材と、
を備える音声出力部品の保持構造。
【請求項２】
請求項１に記載の音声出力部品の保持構造であって、
前記開口部が、前記音声出力部品のヨークに対応した位置に設けられている音声出力部品の保持構造。
【請求項３】
請求項２に記載の音声出力部品の保持構造であって、
前記開口部の面積は、前記ヨークの平面積よりも小さい音声出力部品の保持構造。
【請求項４】
請求項１または請求項２に記載の音声出力部品の保持構造であって、
前記弾性部材は、前記音声出力部品の背面に設けられた音孔に干渉しない音声出力部品の保持構造。
【請求項５】
請求項１ないし請求項４のうちのいずれかに記載の音声出力部品の保持構造を備えた音声出力部品の保持構造および電子機器。
【発明の詳細な説明】
【技術分野】
【０００１】
本発明は、筐体内に配置した音声出力部品から筐体外に音声を発するように音声出力部品を保持する音声出力部品の保持構造および電子機器に関するものである。
【背景技術】
【０００２】
電子機器として、下筐体（筐体）および上筐体が連結部で折畳み自在に連結され、下筐体に操作部が設けられ、上筐体に表示部が設けられた折り畳み式携帯端末がある。
例えば、下筐体は、下カバーと上カバーの２つのカバー（ケース）からなり、下カバーには、操作キーやスピーカ（音声出力部品）が設置される。
【０００３】
この音声出力部品を保持する保持構造として、上カバーの内面に音声出力部品を抑え金具で固定するとともに、シャーシに当接した状態に支持することで、下筐体の内部に音声出力部品を保持するものが知られている（例えば、特許文献１参照。）。
【先行技術文献】
【特許文献】
【０００４】
【特許文献１】特開平９−２７０７２７号公報
【発明の概要】
【発明が解決しようとする課題】
【０００５】
しかし、特許文献１の音声出力部品の保持構造のように、音声出力部品が抑え金具によって固定されるとともに、シャーシに当接した状態に支持された場合、下筐体に生じた衝撃がシャーシを介して音声出力部品に直接伝わることが考えられる。
このため、例えば、電子機器を落下させた場合、落下の衝撃がシャーシを介して音声出力部品に伝わり、衝撃で音声出力部品が破損することが考えられる。
【０００６】
本発明は、前述した課題を解決するためになされたものであり、その目的は、電子機器の落下の際に音声出力部品が破損することを防止できる音声出力部品の保持構造および電子機器を提供することにある。
【課題を解決するための手段】
【０００７】
本発明は、筐体と、前記筐体に設けられた音声出力孔から音声を発するように前記筐体の裏面に当接する音声出力部品と、前記音声出力部品の背面に配置された回路基板と、前記回路基板における前記音声出力部品とは反対側に配置されたシャーシと、前記回路基板に設けられた開口と、前記開口内に配置され、前記音声出力部品の背面および前記シャーシに対して弾性的に接触する弾性部材と、を備える。
【０００８】
このような本発明においては、回路基板に開口を設けて開口内に弾性部材を配置した。そして、弾性部材を音声出力部品の背面およびシャーシに対して弾性的に接触させるようにした。
よって、音声出力部品を弾性部材でシャーシに対して浮かせた状態、すなわちフローティングの状態に保つことができる。
これにより、電子機器を落下させた場合に、落下の衝撃が音声出力部品に伝わらないように弾性部材で吸収して音声出力部品が破損することを防止できる。
【０００９】
また、本発明は、前記開口が、前記音声出力部品のヨークに対応した位置に設けられている。
【００１０】
ここで、ヨークは、音声出力部品の中心に位置し、かつ金属で構成されているので、音声出力部品を支える十分な強度を備えている。
そこで、本発明においては、音声出力部品のヨークに対応した位置に開口を設けることにした。これにより、開口内に配置した弾性部材をヨークに接触（当接）させて音声出力部品を弾性部材で良好に弾性的に支持できる。
【００１１】
さらに、本発明は、前記開口の面積が、前記ヨークの平面積よりも小さく形成されている。
【００１２】
ここで、開口の面積をヨークの平面積よりも大きく形成した場合、ヨークが開口内に入り込んでしまう。このため、音声出力部品のＺ方向（厚さ方向）において回路基板（すなわち、剛体受け部）がなくなり、弾性部材のみでヨークを支えることになる。
このため、音声出力部品のＺ方向（厚さ方向）の位置を安定させることが難しくなり、音声出力部品の接点や音圧が不安定になることが考えられる。
【００１３】
そこで、本発明においては、開口の面積をヨークの平面積よりも小さく形成した。よって、剛性を備えた回路基板（すなわち、剛体）でヨークの一部を支えることができる。
これにより、音声出力部品のＺ方向（厚さ方向）の位置を安定させて、音声出力部品の接点や音圧を安定させることができる。
【００１４】
また、本発明は、前記弾性部材が、前記音声出力部品の背面に設けられた音孔に干渉しないように構成されている。
【００１５】
本発明においては、音声出力部品の音孔に弾性部材を干渉しないようにすることで音響特性を良好に確保できる。
【００１６】
さらに、本発明は、前記音声出力部品の保持構造を電子機器に備えている。
【００１７】
本発明においては、電子機器の落下の際に音声出力部品が破損することを防止でき、また、音声出力部品のＺ方向（厚さ方向）の位置を安定させて保持でき、さらに、接点や音圧を安定させることができ、加えて、音響特性を良好に確保できる電子機器を得ることができる。
【発明の効果】
【００１８】
本発明の音声出力部品の保持構造および電子機器によれば、回路基板に開口を設けて開口内に弾性部材を配置し、弾性部材を音声出力部品の背面およびシャーシに対して弾性的に接触させることで、電子機器の落下の際に音声出力部品が破損することを防止できる効果が得られるという効果を有する。
【図面の簡単な説明】
【００１９】
【図１】本発明に係る電子機器を示す斜視図
【図２】図１の電子機器を示す分解斜視図
【図３】図１のＡ−Ａ線断面図
【図４】本発明に係る電子機器の音声出力部品を示す斜視図
【図５】図３のＢ−Ｂ線断面図
【発明を実施するための形態】
【００２０】
以下、本発明の複数の実施の形態に係る音声出力部品の保持構造および電子機器１０について図面を参照して説明する。
【００２１】
（第１実施形態）
図１に示すように、本発明の第１実施形態である電子機器１０は、操作部１２や音声出力部品（スピーカ）１３が設けられた下筐体（筐体）１１と、表示部１５が設けられた上筐体１４と、下筐体１１および上筐体１４を折畳み自在に連結する連結部１７とを備えた折り畳み式携帯端末である。
以下、音声出力部品１３を下筐体１１に保持する構造を「音声出力部品の保持構造２０」として説明する。
【００２２】
なお、第１実施形態では電子機器１０として折り畳み式携帯端末を例示するが、電子機器１０は折り畳み式携帯端末に限定するものではなく、他の電子機器に適用することも可能である。
【００２３】
図２、図３に示すように、音声出力部品の保持構造２０は、下筐体１１と、下筐体１１の裏面（具体的には、上カバー３３の裏面）３３ａに当接する音声出力部品１３と、音声出力部品１３の背面（すなわち、ヨーク２２の背面）２２ａに配置された回路基板２５と、回路基板２５における音声出力部品１３とは反対側に配置されたシャーシ２８と、回路基板２５に設けられた開口部２６と、開口部２６内に配置された弾性部材３０とを備えている。
【００２４】
下筐体１１は、下筐体１１の下部を構成する下カバー３２と、下カバー３２の上部に設けられた上カバー３３とで筐体状に形成されている。
上カバー３３は、操作部１２が配置される開口部３３ｂと、音声出力部品１３の上部（具体的には、後述する出力部本体２１の上面）２１ｂが対峙する音声出力孔３３ｃが設けられている。
【００２５】
図４に示すように、音声出力部品１３は、上カバー３３の裏面３３ａに設けられた出力部本体２１と、出力部本体２１の背面２１ａに設けられたヨーク２２と、出力部本体２１の背面２１ａに設けられて音声を発する音孔２３と、出力部本体２１の背面２１ａに設けられた接点部２４とを備えている。
【００２６】
図３に示すように、上カバー３３の裏面３３ａに、下カバー３２に向けて突出された周壁３４が設けられている。
周壁３４内に出力部本体２１が収容されるとともに、上カバー３３の裏面３３ａに出力部本体２１の上面２１ｂが当接した状態で、出力部本体２１が上カバー３３の裏面３３ａに取り付けられている。
【００２７】
図４に示すように、音孔２３は、出力部本体２１の背面２１ａのうち、ヨーク２２の外側の面に設けられている。
【００２８】
ヨーク２２は、出力部本体２１の背面２１ａのうち中心に位置し、金属で構成されることで音声出力部品１３を支える十分な強度を備えている。
ヨーク２２の背面（以下、「ヨーク背面」という）２２ａは、互いに平行に対向するように設けられた一対の長辺２２ｄと、互いに対向するように設けられた一対の湾曲辺２２ｅとで平面積Ｓ１に形成されている。
一対の長辺２２ｄおよび一対の湾曲辺２２ｅでヨーク背面２２ａの外周２２ｂが形成される。
【００２９】
図３に示すように、ヨーク背面２２ａ側に回路基板２５が設けられている。回路基板２５のうちヨーク背面２２ａに対応した位置に開口部２６が設けられている。
開口部２６は、図５に示すように、Ｘ寸法およびＹ寸法（すなわち、縦寸法および横寸法で）で開口面積Ｓ２になるように略矩形状に形成されている。
開口部２６のＸ方向の寸法はヨーク部のＸ方向の寸法よりも小さく構成され、開口面積Ｓ２はヨーク背面２２ａの平面積Ｓ１よりも小さく構成されている。
【００３０】
そこで、開口面積Ｓ２をヨーク２２の平面積Ｓ１よりも小さく形成することで、図３に示すように、剛性を備えた回路基板２５（すなわち、剛体）でヨーク背面２２ａを支えることができる。
これにより、音声出力部品１３のＺ方向（厚さ方向）の位置を安定させて、音声出力部品１３の接点部２４（図４参照）の接点や音圧を安定させることができる。
【００３１】
これに対して、例えば、開口面積Ｓ２をヨーク２２の平面積Ｓ１（図５参照）よりも大きく形成した場合、開口部２６内にヨーク背面２２ａが入り込んでしまい、ヨーク背面２２ａに対峙（対向）させて回路基板２５を配置できない。
よって、音声出力部品１３の厚さ方向（すなわち、Ｚ方向）において、剛性を備えた回路基板２５（すなわち、剛体）で音声出力部品１３を受けることができなくなり、音声出力部品１３を弾性部材３０のみで支えることになる。
このため、音声出力部品１３のＺ方向（厚さ方向）の位置を安定させることが難しく、音声出力部品１３の接点部２４の接点や音圧が不安定になることが考えられる。
【００３２】
そこで、第１実施形態において、開口面積Ｓ２をヨーク２２の平面積Ｓ１よりも小さく形成することで、音声出力部品１３のＺ方向（厚さ方向）の位置を安定させて、音声出力部品１３の接点部２４（図４参照）の接点や音圧を安定させるようにした。
【００３３】
図３、図５に示すように、回路基板２５の開口部２６内に弾性部材３０が配置されている。
弾性部材３０は、平面視で略矩形状で、かつ、厚さ寸法Ｔ１（図２参照）に形成されている。
厚さ寸法Ｔ１は、回路基板２５の厚さ寸法Ｔ２（図３参照）より大きく設定されている。
【００３４】
この弾性部材３０は、上面３０ａがヨーク背面２２ａの中央部２２ｃに接触（当接）するとともに、下面３０ｂがシャーシ２８に接触（当接）されている。
そして、ヨーク背面２２ａのうち中央部２２ｃを除いた部位２２ｆが回路基板２５の上面２５ａに近接（接触）され、シャーシ２８の上面２８ａが回路基板２５の下面２５ｂに近接（接触）されている。
【００３５】
弾性部材３０の厚さ寸法Ｔ１が回路基板２５の厚さ寸法２より大きく設定されているので、シャーシ２８の上面２８ａおよびヨーク背面２２ａの中央部２２ｃで弾性部材３０が圧縮された状態に保持（挟持）される。
すなわち、弾性部材３０は、音声出力部品１３の背面（すなわち、ヨーク背面）２２ａおよびシャーシ２８に対して弾性的に接触されている。
【００３６】
よって、音声出力部品１３を弾性部材３０でシャーシ２８に対して浮かせた状態、すなわちフローティングの状態に保つことができる。
これにより、電子機器１０を落下させた場合に、シャーシ２８から衝撃が音声出力部品１３に伝わらないように弾性部材３０で吸収し、衝撃で音声出力部品１３が破損することを防止できる。
【００３７】
ここで、図４に示すように、ヨーク２２は出力部本体２１の背面２１ａの中心に位置し、かつ金属で構成されているため、音声出力部品１３を支える十分な強度を備えている。
よって、図３に示すように、ヨーク背面２２ａに対応した位置に開口部２６を設けることで、開口部２６内に配置した弾性部材３０をヨーク背面２２ａの中央部２２ｃに接触（当接）させることができる。
これにより、弾性部材３０で音声出力部品１３を良好に弾性的に支持できる。
【００３８】
ここで、図５に示すように、開口部２６の開口面積Ｓ２がヨーク背面２２ａの平面積Ｓ１よりも小さく設定され、この開口部２６に弾性部材３０が配置されている。
よって、弾性部材３０の平面積Ｓ３をヨーク２２の平面積Ｓ１よりも小さくでき、弾性部材３０をヨーク背面２２ａの外周２２ｂからはみ出さないように配置できる。
加えて、出力部本体２１の背面２１ａのうち、ヨーク２２の外側の面に音孔２３（図４も参照）が設けられている。
よって、弾性部材３０を音孔２３に干渉しないように配置できるので、音響特性を良好に確保できる。
【００３９】
なお、本発明に係る音声出力部品の保持構造２０および電子機器１０は、前述した第１実施形態に限定されるものではなく適宜変更、改良などが可能である。
例えば、第１実施形態では、弾性部材３０の平面積Ｓ３をヨーク２２の平面積Ｓ１よりも小さく設定して弾性部材３０を音孔２３に干渉しないように配置したが、これに限定するものではない。
例えば、弾性部材３０の平面積Ｓ３がヨーク２２の平面積Ｓ１よりも大きい形態の場合には、弾性部材３０のうち音孔２３に対応する部位に孔を設けて音響特性を良好に確保可能に対処することも可能である。
【００４０】
また、第１実施形態では、ヨーク背面２２ａの中央部２２ｃを弾性部材３０で支える例について説明したが、これに限らないで、ヨーク背面２２ａの中央部２２ｃに加えて出力部本体２１の背面２１ａを弾性部材３０で支えることも可能である。
【００４１】
さらに、第１実施形態では、電子機器１０として折り畳み式携帯端末を例示するが、電子機器１０は折り畳み式携帯端末に限定するものではなく、その他の電子機器に適用することも可能である。
【００４２】
また、前記第１実施形態で使用した電子機器１０、下筐体１１、音声出力部品１３、音声出力部品の保持構造２０、ヨーク背面２２ａ、回路基板２５、開口部２６、シャーシ２８、弾性部材３０、下カバー３２、音声出力孔３３ｃ、上カバー３３および上カバーの裏面３３ａなどの形状や構成は例示したものに限定するものではなく適宜変更が可能である。
【符号の説明】
【００４３】
１０  電子機器
１１  下筐体（筐体）
１３  音声出力部品
２０  音声出力部品の保持構造
２２ａ  ヨーク背面（音声出力部品の背面）
２５  回路基板
２６  開口部
２８  シャーシ
３０  弾性部材
３２  下カバー
３３  上カバー
３３ａ  上カバーの裏面（筐体の裏面）
３３ｃ  音声出力孔
【図１】
2011166202.tif 000003
【図２】
2011166202.tif 000004
【図３】
2011166202.tif 000005
【図４】
2011166202.tif 000006
【図５】
2011166202.tif 000007